(57)【特許請求の範囲】
【請求項１】
書類等を封入し宛名などを記入して送付される封筒において、一旦使用された前記封筒の接着部を剥がして、前記封筒の内部面を外部面となるよう再形成し、書類などを入れて 再利用できるように構成し、
上部、側部および下部に糊付け用フラップ（以下それぞれ、トップフラップ部、サイドフラップ部、ボトムフラップ部と呼ぶ）を具備した長方形紙片を一つまたは複数の直線に沿って折り返し、
前記サイドフラップ部およびボトムフラップ部のフラップを剥離可能接着剤によってそれぞれ対応する部位に接着して袋状の封筒を構成し、
前記封筒に内容物を挿入した後、前記トップフラップ部を剥離可能接着剤によって接着し内容物を封入するよう構成し、
前記封筒に内容物が封入されて送付された後、受取人は前記トップフラップ部を剥がし、
内容物を取り出した後、前記サイドフラップ部および前記ボトムフラップ部を剥がし前記長方形紙面として展開し、折り返し線に沿って、前記折り返し方向と反対方向に折り返し、前記使用された封筒の内部面が外部面となるように前記トップフラップ部、前記サイドフラップ部、および、前記ボトムフラップ部のフラップを用いて対応する部位と接着し再利用できる封筒となるよう構成した、再利用可能封筒であって、
最初に送付する封筒の使用を容易にするために、送信用パネル（面２）のボトムフラップ部（２−５）と送信用パネル（面２）のサイドフラップ部（２−４）は予め剥離可能接着剤で対応する返信用パネル（面１）のボトム糊代部（１−８）と返信用パネル（面１）のサイド糊代部（１−７）に剥離可能に接着され、内容物が入れられるよう袋状の封筒として形成され、返信用パネル（面１）のトップフラップ部（１−３）には剥離可能接着剤が施され、該剥離可能接着剤の表出部には他部と接着しないよう剥離基材で被覆されるよう形成され、
一旦使用された前記封筒の剥離可能接着剤で剥離可能に接着された各フラップ部位が剥がされ、元の長方形紙面に展開され、最初の封筒の内部面を外部面とするように形成され再利用される際において、各フラップと対応する部位とを接着する作業を容易にするため、返信用パネル（面１）のサイドフラップ部（１−４）およびボトムフラップ部（１−５）、送信用パネル（面２）のトップフラップ部（２−３）と接着される返信用パネル（面１）のトップ糊代部（１−６）には予め接着剤を施し、該接着剤の表出面は他の紙片と接着しないよう剥離基材で被覆されるよう構成されることを特徴とする再利用可能封筒。
【請求項２】
書類等を封入し宛名などを記入して送付される封筒において、一旦使用された前記封筒の接着部を剥がして、前記封筒の内部面を外部面となるよう再形成し、書類などを入れて 再利用できるように構成し、
上部、側部および下部に糊付け用フラップ（以下それぞれ、トップフラップ部、サイドフラップ部、ボトムフラップ部と呼ぶ）を具備した長方形紙片を一つまたは複数の直線に沿って折り返し、
前記サイドフラップ部およびボトムフラップ部のフラップを再剥離再接着型接着剤によってそれぞれ対応する部位に接着して袋状の封筒を構成し、
前記封筒に内容物を挿入した後、前記トップフラップ部を剥離可能接着剤によって接着し内容物を封入するよう構成し、
前記封筒に内容物が封入されて送付された後、受取人は前記トップフラップ部を剥がし、
内容物を取り出した後、前記再剥離再接着型接着剤で接着された前記サイドフラップ部および前記ボトムフラップ部を剥がし前記長方形紙面として展開し、折り返し線に沿って、前記折り返し方向と反対方向に折り返し、前記使用された封筒の内部面が外部面となるように前記トップフラップ部、前記サイドフラップ部、および、前記ボトムフラップ部のフラップを用いて対応する部位と接着し再利用できる封筒となるよう構成した、再利用可能封筒であって、
最初に送付する封筒を形成するため、長方形紙片の送信用パネル（面４）のサイドフラップ部（４−６）と送信用パネル（面４）のボトムフラップ部（４−５）は再剥離再接着型接着剤によって対応する返信用パネル（面３）の部位に再剥離再接着可能に接着され、返信用パネル（面３）のトップフラップ部（３−４）は剥離可能接着剤によって送信用パネル（面４）の対応する部位に剥離可能に接着されることによって内容物が封入され送付され、
次いで、前記封筒を受け取った受取人によって前記返信用パネル（面３）のトップフラップ部（３−４）、前記送信用パネル（面４）のボトムフラップ部（４−５）およびサイドフラップ部（４−６）が剥がされ、元の長方形紙面に展開され、前記長方形紙片が裏返されることによって、前記送信用パネル（面４）のボトムフラップ部（４−５）およびサイドフラップ部（４−６）は、前記再剥離再接着型接着剤によって、対応する部位に接着され、最初に使用された封筒の内部面を外部面とするように再利用封筒が形成されることを特徴とする再利用可能封筒。
【発明の詳細な説明】
【技術分野】
【０００１】
本発明は郵便または宅配において送付に用いられた封筒が受取人によって無駄なく再利用され返信または新たな送付用として用いられる封筒の構成方法とその使用法に関する。
【背景技術】
【０００２】
従来、送付された封筒は開封され内容物が取り出された後、破棄されゴミとして処理されるなどが通常の形態である。返信を必要とする郵便物では返信用の封筒を同封することが多い。この場合送付する側は返信用の封筒を入れなければならず、経費と資源の無駄になる。また、通常の返信を必要としない封筒では、受取人はこの封筒の封箋部を破るか切り取るなどして、再利用が難しい状態となり、多くの場合ごみとして捨てられる場合が多く、多量の資源が有効に使われていない。
【０００３】
そこで、使用済み封筒を再び封筒として再利用する種々の発明があった。たとえば
【特許文献１】および
【特許文献２】では封箋用のフラップの1部を剥離可能接着剤で接着し、受取人は前記接着部を剥がして送られてきた封筒を開封し内容物を取り出した後、残りのフラップを用いて封をして再利用しようとする。この場合は使用された封筒の表面に書かれた宛名書きや汚れを取り除くのが難しく郵便物として再利用することは困難である。また、
【特許文献３】では、往復用の封筒として作られ、封箋用のフラップを送付時の宛名書部全体を覆う部分と返信時の封箋に用いられる部分とから成るように作られ、送付時の宛名書部全体を覆う部分の周辺部に再剥離用接着剤を用いて封箋し、前記フラップの表に送付先を記入して送付される。返信者は前記封筒の前記再剥離用接着剤を用いた部分を剥がしてフラップを切り取り内容物を取り出した後、新たに内容物を挿入し、残りの返信用フラップ部に接着して封箋し返信する。この場合は、最初に送る際封筒の裏面に送り主の住所氏名などを書いた場合、返信時にはそれを消さなければならないが消すことは容易ではない。また、送付時の封箋フラップは封筒のほぼ片面を覆うほどの大きさであり、返信時これを捨てることは省資源上好ましくない。
【先行技術文献】
【特許文献】
【０００４】
【特許文献１】特開２００８−１３１９０号公報
【特許文献２】特開２００８−２４７４１４号公報
【特許文献３】特開２００９−４０４５７号公報
【発明の概要】
【発明が解決しようとする課題】
【０００５】
解決しようとする問題点は、使用済みの封筒を廃棄することなく、封筒材料の一部を切り取ることなく再利用すること。
【０００６】
使用済みの封筒のおもて面を使用するのではなく、まったく白紙の状態にある内側面を再利用封筒の表出部として利用することによって、汚れのない封筒として利用できること。
【０００７】
通常の封筒用紙に特に付加的な構造物を追加することなく再利用でき省資源省力化に貢献できること。
【０００８】
使用された封筒は郵便物として再利用されるだけでなく、書類などを入れて白紙の表に内容物を現す表書きなどを記入できるなど書類入れとしての再利用にも供されること。
【課題を解決するための手段】
【０００９】
前記課題を解決するために、本発明の第一の様態は、書類等を封入し宛名などを記入して送付される封筒において、一旦使用された前記封筒の接着部を剥がして、前記封筒の内部面を外部面となるよう再形成し、書類などを入れて 再利用できるように構成し、上部、側部および下部に糊付け用フラップ（以下それぞれ、トップフラップ部、サイドフラップ部、ボトムフラップ部と呼ぶ）を具備した長方形紙片を一つまたは複数の直線に沿って折り返し、前記サイドフラップ部およびボトムフラップ部のフラップを剥離可能接着剤によってそれぞれ対応する部位に接着して袋状の封筒を構成し、前記封筒に内容物を挿入した後、前記トップフラップ部を剥離可能接着剤によって接着し内容物を封入するよう構成し、前記封筒に内容物が封入されて送付された後、受取人は前記トップフラップ部を剥がし、内容物を取り出した後、前記サイドフラップ部および前記ボトムフラップ部を剥がし前記長方形紙面として展開し、折り返し線に沿って、前記折り返し方向と反対方向に折り返し、前記使用された封筒の内部面が外部面となるように前記トップフラップ部、前記サイドフラップ部、および、前記ボトムフラップ部のフラップを用いて対応する部位と接着し再利用できる封筒となるよう構成した、再利用可能封筒であって、最初に送付する封筒の使用を容易にするために、送信用パネル（面２）のボトムフラップ部（２−５）と送信用パネル（面２）のサイドフラップ部（２−４）は予め剥離可能接着剤で対応する返信用パネル（面１）のボトム糊代部（１−８）と返信用パネル（面１）のサイド糊代部（１−７）に剥離可能に接着され、内容物が入れられるよう袋状の封筒として形成され、返信用パネル（面１）のトップフラップ部（１−３）には剥離可能接着剤が施され、該剥離可能接着剤の表出部には他部と接着しないよう剥離基材で被覆されるよう形成され、一旦使用された前記封筒の剥離可能接着剤で剥離可能に接着された各フラップ部位が剥がされ、元の長方形紙面に展開され、最初の封筒の内部面を外部面とするように形成され再利用される際において、各フラップと対応する部位とを接着する作業を容易にするため、返信用パネル（面１）のサイドフラップ部（１−４）およびボトムフラップ部（１−５）、送信用パネル（面２）のトップフラップ部（２−３）と接着される返信用パネル（面１）のトップ糊代部（１−６）には予め接着剤を施し、該接着剤の表出面は他の紙片と接着しないよう剥離基材で被覆されるよう構成されることを特徴とするものである。
【００１２】
また、第２の様態は、書類等を封入し宛名などを記入して送付される封筒において、一旦使用された前記封筒の接着部を剥がして、前記封筒の内部面を外部面となるよう再形成し、書類などを入れて 再利用できるように構成し、上部、側部および下部に糊付け用フラップ（以下それぞれ、トップフラップ部、サイドフラップ部、ボトムフラップ部と呼ぶ）を具備した長方形紙片を一つまたは複数の直線に沿って折り返し、前記サイドフラップ部およびボトムフラップ部のフラップを再剥離再接着型接着剤によってそれぞれ対応する部位に接着して袋状の封筒を構成し、前記封筒に内容物を挿入した後、前記トップフラップ部を剥離可能接着剤によって接着し内容物を封入するよう構成し、前記封筒に内容物が封入されて送付された後、受取人は前記トップフラップ部を剥がし、内容物を取り出した後、前記再剥離再接着型接着剤で接着された前記サイドフラップ部および前記ボトムフラップ部を剥がし前記長方形紙面として展開し、折り返し線に沿って、前記折り返し方向と反対方向に折り返し、前記使用された封筒の内部面が外部面となるように前記トップフラップ部、前記サイドフラップ部、および、前記ボトムフラップ部のフラップを用いて対応する部位と接着し再利用できる封筒となるよう構成した、再利用可能封筒であって、最初に送付する封筒を形成するため、長方形紙片の送信用パネル（面４）のサイドフラップ部（４−６）と送信用パネル（面４）のボトムフラップ部（４−５）は再剥離再接着型接着剤によって対応する返信用パネル（面３）の部位に再剥離再接着可能に接着され、返信用パネル（面３）のトップフラップ部（３−４）は剥離可能接着剤によって送信用パネル（面４）の対応する部位に剥離可能に接着されることによって内容物が封入され送付され、次いで、前記封筒を受け取った受取人によって前記返信用パネル（面３）のトップフラップ部（３−４）、前記送信用パネル（面４）のボトムフラップ部（４−５）およびサイドフラップ部（４−６）が剥がされ、元の長方形紙面に展開され、前記長方形紙片が裏返されることによって、前記送信用パネル（面４）のボトムフラップ部（４−５）およびサイドフラップ部（４−６）は、前記再剥離再接着型接着剤によって、対応する部位に接着され、最初に使用された封筒の内部面を外部面とするように再利用封筒が形成されることを特徴とするものである。
【発明の効果】
【００１４】
本発明の再利用封筒の第１の様態のように、書類等を封入し宛名などを記入して送付される封筒において、一旦使用された前記封筒の接着部を剥がして、前記封筒の内部面を外部面となるよう再形成し、書類などを入れて 再利用できるように構成し、上部、側部および下部に糊付け用フラップ（以下それぞれ、トップフラップ部、サイドフラップ部、ボトムフラップ部と呼ぶ）を具備した長方形紙片を一つまたは複数の直線に沿って折り返し、前記サイドフラップ部およびボトムフラップ部のフラップを剥離可能接着剤によってそれぞれ対応する部位に接着して袋状の封筒を構成し、前記封筒に内容物を挿入した後、前記トップフラップ部を剥離可能接着剤によって接着し内容物を封入するよう構成し、前記封筒に内容物が封入されて送付された後、受取人は前記トップフラップ部を剥がし、内容物を取り出した後、前記サイドフラップ部および前記ボトムフラップ部を剥がし前記長方形紙面として展開し、折り返し線に沿って、前記折り返し方向と反対方向に折り返し、前記使用された封筒の内部面が外部面となるように前記トップフラップ部、前記サイドフラップ部、および、前記ボトムフラップ部のフラップを用いて対応する部位と接着し再利用できる封筒となるよう構成した、再利用可能封筒であって、最初に送付する封筒の使用を容易にするために、送信用パネル（面２）のボトムフラップ部（２−５）と送信用パネル（面２）のサイドフラップ部（２−４）は予め剥離可能接着剤で対応する返信用パネル（面１）のボトム糊代部（１−８）と返信用パネル（面１）のサイド糊代部（１−７）に剥離可能に接着され、内容物が入れられるよう袋状の封筒として形成され、返信用パネル（面１）のトップフラップ部（１−３）には剥離可能接着剤が施され、該剥離可能接着剤の表出部には他部と接着しないよう剥離基材で被覆されるよう形成され、一旦使用された前記封筒の剥離可能接着剤で剥離可能に接着された各フラップ部位が剥がされ、元の長方形紙面に展開され、最初の封筒の内部面を外部面とするように形成され再利用される際において、各フラップと対応する部位とを接着する作業を容易にするため、返信用パネル（面１）のサイドフラップ部（１−４）およびボトムフラップ部（１−５）、送信用パネル（面２）のトップフラップ部（２−３）と接着される返信用パネル（面１）のトップ糊代部（１−６）には予め剥離不能な接着剤を施し、該接着剤の表出面は他の紙片と接着しないよう剥離基材で被覆されるよう構成されることによって、返信の際に返信用封筒が不要となるだけでなく、送付用の封筒からなんらの紙片を取り除く必要もなく、また、付加的構造物を追加することもなく、送付時の封筒の内部面を返信時の表面にすることによって、送付時の封筒の白紙の状態にある内部面を返信時の封筒の表出部として使うことができ、省資源省力化に貢献できる。また、使用された封筒は郵便物として再利用されるだけでなく、書類などを入れて白紙の表に内容物を現す表書きなどを記入できるなど書類入れとしての利用にも供される。さらに、送付用接着構造を送付の度に用意する必要がなくなり省資源省力化が図られ、前記封筒を再利用する際、糊付け作業を容易にすることが出来る。
【００１７】
また、第２の様態のように、書類等を封入し宛名などを記入して送付される封筒において、一旦使用された前記封筒の接着部を剥がして、前記封筒の内部面を外部面となるよう再形成し、書類などを入れて 再利用できるように構成し、上部、側部および下部に糊付け用フラップ（以下それぞれ、トップフラップ部、サイドフラップ部、ボトムフラップ部と呼ぶ）を具備した長方形紙片を一つまたは複数の直線に沿って折り返し、前記サイドフラップ部およびボトムフラップ部のフラップを再剥離再接着型接着剤によってそれぞれ対応する部位に接着して袋状の封筒を構成し、前記封筒に内容物を挿入した後、前記トップフラップ部を剥離可能接着剤によって接着し内容物を封入するよう構成し、前記封筒に内容物が封入されて送付された後、受取人は前記トップフラップ部を剥がし、内容物を取り出した後、前記再剥離再接着型接着剤で接着された前記サイドフラップ部および前記ボトムフラップ部を剥がし前記長方形紙面として展開し、折り返し線に沿って、前記折り返し方向と反対方向に折り返し、前記使用された封筒の内部面が外部面となるように前記トップフラップ部、前記サイドフラップ部、および、前記ボトムフラップ部のフラップを用いて対応する部位と接着し再利用できる封筒となるよう構成した、再利用可能封筒であって、最初に送付する封筒を形成するため、長方形紙片の送信用パネル（面４）のサイドフラップ部（４−６）と送信用パネル（面４）のボトムフラップ部（４−５）は再剥離再接着型接着剤によって対応する返信用パネル（面３）の部位に再剥離再接着可能に接着され、返信用パネル（面３）のトップフラップ部（３−４）は剥離可能接着剤によって送信用パネル（面４）の対応する部位に剥離可能に接着されることによって内容物が封入され送付され、次いで、前記封筒を受け取った受取人によって前記返信用パネル（面３）のトップフラップ部（３−４）、前記送信用パネル（面４）のボトムフラップ部（４−５）およびサイドフラップ部（４−６）が剥がされ、元の長方形紙面に展開され、前記長方形紙片が裏返されることによって、前記送信用パネル（面４）のボトムフラップ部（４−５）およびサイドフラップ部（４−６）は、前記再剥離再接着型接着剤によって、対応する部位に接着され、最初に使用された封筒の内部面を外部面とするように再利用封筒が形成されることによって、送付用に付けられた接着構造がそのまま返信用接着構造に利用でき接着剤の節約と省力化に貢献できる。
【図面の簡単な説明】
【００１９】
【図１】図１は右サイド内貼り封筒を形成する前の展開図である。（実施例１）
【図２】図２は図１の裏面展開図である。（実施例１）
【図３】図３はセンター貼り封筒を形成する前の展開図である。（実施例２）
【図４】図４は図３の裏面展開図である。（実施例２）
【発明を実施するための形態】
【実施例１】
【００２０】
以下図面を参照して再利用可能な封筒の構造と実施の形態を角型封筒サイド貼りの場合について説明する。図1は封筒を形成する紙片の片面、面１の展開図を現す。図2は図1の裏面、面２の展開図を現す。
【００２１】
図1においてトップフラップ部１−３、サイドフラップ部１−４、ボトムフラップ部１−５は接着剤を用いて封筒を形成するためのフラップを表す。また、図示されたトップ糊代部１−６、サイド糊代部１―７、ボトム糊代部１−８は封筒を形成する際フラップ面と接着される領域を表す。トップフラップ部1−3の面には剥離可能な接着剤が施され、面領域のサイドフラップ部1−4,ボトムフラップ部1−5,トップ糊代部1−6には、接着剤が施されているが、再利用の際の封筒を形成するときに用いるため、接着剤の上に容易にはがすことが可能な剥離基材で被覆されている。封筒形成用中央折れ線1−9は封筒を形成するとき折りたたむ線である。
【００２２】
図２は図1を裏返した状態を表す。トップフラップ部２−３、サイドフラップ部２−４、ボトムフラップ部２−５は封筒を形成するためのフラップを表す。また、図示されたトップ糊代部２−６、サイド糊代部２―７、ボトム糊代部２−８は封筒を形成する際フラップ面と接着される領域面を表す。サイドフラップ部２−４、ボトムフラップ部２−５の面には剥離可能な接着剤が施されている。封筒形成用中央折れ線２−9は再利用の際封筒を形成するとき折り返す線である。
【００２３】
最初封筒が平面用紙より作られ、内容物を入れて送付された後、受取人によって開封され内容物が取り出され、剥離可能に接着された部位が剥がされ、前記封筒の用紙が再構成され、同一送付者に複信されるか、あるいは他の宛先に送付されるなど再利用される手順を以下に示す。
【００２４】
最初に使う封筒として構成する方法は通常の構成法と大差なく、以下の通りである。図1において封筒形成用中央折れ線１−９によって表に折り返し、ボトムフラップ部２−５に付けられた剥離可能接着剤によって図1のボトム糊代部１−８に接着され、つづいてサイドフラップ部２−４の面上に付けられた剥離可能接着剤によってサイド糊代部１−７と接合され、袋状の封筒が作られる。この際、返信用宛名記入部面１−１、かぶせ部１−２は封筒の内側の面となる。この封筒に内容物が封入され、トップフラップ部１−３面に付けられた剥離可能な接着剤によってトップ糊代部２−６と接合され封箋される。宛名が送信用宛名記入部面２−２に記入された後、受取人に発送される。
【００２５】
受取人が前記郵便物を受け取った後、前記封筒を再利用し再び封筒として使用する方法は以下のとおりである。受取人は剥離可能接着剤により貼付されたトップフラップ部１−３を剥がし内容物を取り出す。受取人が前記封筒を再利用するには、剥離可能に接着されたサイドフラップ部２−４、ボトムフラップ部２−５をそれぞれの接着面であるサイド糊代部１−７、ボトム糊代部１−８から剥がして、裏返す等により図２のような展開図をもつ紙面を表出させる。
【００２６】
次に、予め接着剤を塗布し剥離基材で被覆されたサイドフラップ部１−４およびボトムフラップ部１−５上に張られた剥離基材を剥がす。封筒形成用中央折れ線２−９で表に折って後、ボトムフラップ部１−５をボトム糊代部２−８に、サイドフラップ部１−４をサイド糊代部２−７にそれぞれ接着する。この結果、送信用宛名記入部２−２および、かぶせ部２−１を封筒の内面とする袋状の封筒が出来上がる。
【００２７】
受取人はこの封筒に内容物を入れ、既に接着剤が施され剥離基材で被覆されたトップ糊代部領域１−６から剥離基材を剥がし、トップフラップ部２−３面とトップ糊代部１−６とを張り合わせ封箋する。最初の封筒では内側面であった返信用宛名記入部１−１および、かぶせ部１−２は再利用の際には表側面となり、返信用宛名記入部１−１に宛名を記入し新たな郵便物として再利用される。
【実施例２】
【００２８】
以下図面を参照して再利用可能封筒の実施例２の実施の形態を角型封筒中央貼りについて説明する。図３は封筒を形成する紙片の片面、面３の展開図を現す。図４は図３の裏面、面４の展開図を現す。
【００２９】
図３においてトップフラップ部３−４、ボトムフラップ部３−５、サイド糊代部３−６は接着剤を用いて封筒を形成するための糊付け用フラップを表す。また、図示されたトップ糊代部３−７、３−８、ボトム糊代部３−９、３−１０は封筒を形成する際フラップ面と接着される領域を表す。トップフラップ部３−４には、剥離可能な接着剤が施されている。封筒形成用折れ線３―１１、３−１２は封筒を形成するとき内側に折りたたむ線である。面３−２、３−３は中央貼り用サイド部を表し、返信用宛名記入部面３−１には返信用宛名が書かれる。
【００３０】
図４は図３を裏返した状態を表す。トップフラップ部４−４、ボトムフラップ部４−５、サイド糊代部４−６は封筒を形成するための糊付け用フラップ面を表す。また、図示された領域面トップ糊代部４−７、４−８は封筒を形成する際フラップ面と接着される領域面を表す。サイド糊代部４−６、ボトムフラップ部４−５には再剥離再接着型接着剤が施される。また、トップフラップ部４−４には返信の際接着剤が付けられる。封筒形成用折れ線４−９、４−１０は再利用の際、封筒を形成するとき内側に折り返される線である。面４−２、４−３は中央貼り用サイド部を表し、送信用宛名記入部面４−１には送付用宛名が書かれる。
【００３１】
最初封筒が平面用紙より作られ、内容物を入れて送付された後、受取人によって開封され内容物が取り出され、剥離可能に接着された部位が剥がされ、前記封筒の用紙が再構成され、同一送付者に返信されるか、あるいは他の宛先に送付されるなど再利用される手順を以下に示す。
【００３２】
最初に使う封筒として構成する方法は通常の構成法と大差なく、以下の通りである。図３において封筒形成用折れ線３−１１、３−１２によって紙片中央貼り用サイド部３−２、３−３を内側に折り返し、ボトムフラップ部４−５の面上に塗布された再剥離再接着型接着剤によって領域面ボトム糊代部３−９、３−１０と接着され、またこの動作と同期してサイド糊代部４−６に塗布された再剥離再接着型接着剤によって図３の領域面サイド糊代部３−６に接着され袋状の封筒が作られる。この際、返信用宛名記入部面３−１、中央貼り用サイド部３−２、３−３は封筒の内側の面となる。この封筒に内容物が封入され、トップフラップ部３−４面に付けられた剥離可能な接着剤によって領域面サイド糊代部４−７、４−８と接合され封筒が封箋される。宛名が送信用宛名記入部面４−１に記入され、宛先に発送される。
【００３３】
受取人が前記郵便物を受け取った後、前記封筒を再利用し再び封筒として使用する方法は以下のとおりである。受取人は剥離可能接着剤により貼付されたトップフラップ部３−４をトップ糊代部４−７、４−８から剥がし内容物を取り出す。受取人が前記封筒を再利用するには、再剥離再接着型接着剤によって接着されているボトムフラップ部４−５をボトム糊代部３−９、３−１０から剥がし、同時に再剥離再接着型接着剤によって接着されているサイド糊代部４−６をサイド糊代部３−６から剥がして裏返す等により図４のような展開図をもつ紙面を表出させる。
【００３４】
次に、封筒形成用折れ線４−９、４−１０に沿って紙片中央貼り用サイド部４−２、４−３を内側に折り返し、予め再剥離再接着型接着剤が塗布されているサイド糊代部４−６およびボトムフラップ部面４−５をそれぞれサイド糊代部３−６およびボトム糊代部３−９、３−１０に接着する。
【００３５】
この結果、送信用宛名記入部面４−１および中央貼り用サイド部４−２、４−３を封筒の内面とする袋状の封筒が出来上がる。最初の封筒では内側面であった返信用宛名記入部面３−１、中央貼り用サイド部３−２、３−３は再利用の際には封筒の表面となる。返信用の内容物を入れた後、返信用宛名記入部面３−１に返信用宛名を記入しトップフラップ部面４−４に接着剤を施し領域面トップ糊代部３−７、３−８と張り合わせて封箋され、新たな郵便物として発送される。
【産業上の利用可能性】
【００３６】
企業や公的機関などが発送する郵便物の中には、受取人に返信を依頼する郵便物も多い。そのような場合、本発明のように構成された封筒においては受取人は同じ封筒を裏返して再利用し返信できるので、省資源となるとともに、企業や公的機関において多大の経費の節約となる。
【００３７】
また、返信を要求しない場合でも、現在は大量の封筒が送られてきている。そのような封筒は未使用のまま、廃棄処分されている場合が多い。そのような封筒も本発明のように再利用すれば、郵便物として再利用できるだけでなく、企業や公的機関内の部署間の書類送付の入れ物として、あるいは個人の書類保管用として再利用でき、産業上の利用価値があると期待される。
【符号の説明】
【００３８】
１−１、３−１                                          返信用宛名記入部
１−２、２−１                                          かぶせ部
１−３、２−３、３−４、４−４                        トップフラップ部
１−４、２−４                                          サイドフラップ部
１−５、２−５、３−５、４−５                        ボトムフラップ部
１−６、２−６、３−７、３−８、４−７、４−８      トップ糊代部
１−７、２−７、３−６、４−６                        サイド糊代部
１−８、２−８、３−９、３−１０                      ボトム糊代部
１−９、２−９                                          封筒形成用中央折れ線
２−２、４−１                                          送信用宛名記入部
３−２、３−３、４−２、４−３                        中央貼り用サイド部
３−１１、３−１２、４−９、４−１０                  封筒形成用折れ線
【図１】
0005714845.tif 000002
【図２】
0005714845.tif 000003
【図３】
0005714845.tif 000004
【図４】
0005714845.tif 000005